(57)【要約】【課題】収容部に固体食品と液体とを一緒に収容する食品収容容器において、液体だけを収容部から排出させやすい食品収容容器を提供する。【解決手段】固体食品と液体とを一緒に収容する収容部２を備え、収容部２に対して固体食品を出し入れするための収容部２の開口６を閉じるための蓋が、収容部２の開口縁７より収容部２の外側に延長する取付面４に剥がせるように取り付けられる食品収容容器１において、取付面４が、蓋の剥がし口に位置する剥がし部位１０に収容部２と繋がる液体抜き溝部５を備えた．【選択図】図１
2008195427.tif 000002
【特許請求の範囲】
【請求項１】
固体食品と液体とを一緒に収容する収容部を備え、収容部に対して固体食品を出し入れするための収容部の開口を閉じるための蓋が、収容部の開口縁より収容部の外側に延長する取付面に剥がせるように取り付けられる食品収容容器において、取付面が、蓋の剥がし口に位置する剥がし部位に収容部と繋がる液体抜き溝部を備えたことを特徴とする食品収容容器。
【請求項２】
液体抜き溝部の左右の端と開口縁との境界が蓋の剥がし停止位置に決められ、この液体抜き溝部の左右の蓋の剥がし停止位置同士を直線で結んだ蓋の剥がし停止線と、液体抜き溝部の左右間の中央と開口縁との境界との間の間隔が、固体食品の断面径よりも小さい寸法に形成されたことを特徴とする請求項１に記載の食品収容容器。
【請求項３】
液体抜き溝部が複数の溝により形成されたことを特徴とする請求項１又は請求項２に記載の食品収容容器。
【請求項４】
溝が断面半円状の溝に形成され、溝径が、固体食品の断面径よりも小さい寸法に形成されたことを特徴とする請求項３に記載の食品収容容器。
【発明の詳細な説明】
【技術分野】
【０００１】
本発明は、固体食品と液体とを一緒に収容し、液体だけを排出しやすい食品収容容器に関する。
【背景技術】
【０００２】
食品を収容する収容部を備え、食品を出し入れするための開口を閉じるための蓋が、開口縁より収容部の外側に延長する取付面（フランジ）に剥がせるように取り付けられる食品収容容器が知られている（例えば、特許文献１参照）。
ところで、上述のような食品収容容器の収容部内に固体食品と液体とが一緒に収容され、樹脂フィルムのような蓋が取付面に剥がせるように取り付けられて収容部の開口が閉じられている場合においては、固体食品を食する際に液体だけを収容部から排出させることが困難である。例えば、収容部内にところてんとところてん保存液とが一緒に収容されているような場合、ところてん保存液はところてんの品質維持のために封入されたものであってところてんを食する際に不要なので、ところてん保存液だけを捨てたい。そこで、上述したような食品収容容器に固体食品と液体とが一緒に収容されている場合、蓋を全部剥がして、固体食品と液体とを一緒にざるにあけて液体を切る方法が確実であるが、ざるが無い場合には、蓋を少しだけ剥がして蓋と容器との間に、固体食品が流れ出ないような開口寸法の排出口を作って、液体だけを排出するようにしている。
しかしながら、固体食品が流れ出ないような開口寸法の排出口では液体の流路が狭く、液体がなかなか排出されないという問題点があった。
【特許文献１】特開２００４−４２９５４号公報
【発明の開示】
【発明が解決しようとする課題】
【０００３】
従来の食品収容容器では、液体だけを排出したい場合に、液体が排出しにくいという問題点があった。
本発明は、収容部に固体食品と液体とを一緒に収容する食品収容容器において、液体だけを収容部から排出させやすい食品収容容器を提供する。
【課題を解決するための手段】
【０００４】
本発明による食品収容容器は、固体食品と液体とを一緒に収容する収容部を備え、収容部に対して固体食品を出し入れするための収容部の開口を閉じるための蓋が、収容部の開口縁より収容部の外側に延長する取付面に剥がせるように取り付けられる食品収容容器において、取付面が、蓋の剥がし口に位置する剥がし部位に収容部と繋がる液体抜き溝部を備えたことを特徴とする。
液体抜き溝部の左右の端と開口縁との境界が蓋の剥がし停止位置に決められ、この液体抜き溝部の左右の蓋の剥がし停止位置同士を直線で結んだ蓋の剥がし停止線と、液体抜き溝部の左右間の中央と開口縁との境界との間の間隔が、固体食品の断面径よりも小さい寸法に形成されたことも特徴とする。
液体抜き溝部が複数の溝により形成されたことも特徴とする。
溝が断面半円状の溝に形成され、溝径が、固体食品の断面径よりも小さい寸法に形成されたことも特徴とする。
【発明の効果】
【０００５】
本発明の食品収容容器によれば、取付面が液体抜き溝部を備えたので、液体だけを収容部から排出させやすい食品収容容器を提供できる。
蓋の剥がし停止線と液体抜き溝部の左右間の中央と開口縁との境界との間の間隔が、固体食品の断面径よりも小さい寸法に形成されたことにより、固体食品が液体抜き溝部と蓋との間を通過せず、固体食品が収容部より流れ出ることを防止できる。
溝部が複数の溝により形成されたことにより、液体の排出口が多くなり、排出効率が向上する。
溝が断面半円状の溝に形成され、溝径が、固体食品の断面径よりも小さい寸法に形成されたことにより、固体食品が収容部から溝内に入らず、複数の断面半円状の溝と溝との間で形成される収容部の内壁に衝突するため、固体食品が収容部より流れ出ることを防止できる。
【発明を実施するための最良の形態】
【０００６】
最良の形態１
図１乃至図４は本発明の最良の形態を示し、図１は食品収容容器（以下、収容容器と略す）を示し、図２は収容容器の上から見て示し、図３は図２のＡ−Ａ断面を示し、図４は蓋の付いた収容容器の断面を示し、図５は図２のＢ方向から見た液体抜き溝部及びその近傍を示す。
【０００７】
図１を参照し、食品収容容器としてのところてん収容容器（以下、収容容器と略す）の構造を説明する。収容容器１は合成樹脂により形成される。収容容器１は、収容部２、蓋３の取付面としてのフランジ４、フランジ４に形成された液体抜き溝部５を備える。収容部２内には、柔らかい細状固体食品としてのところてん５１と液体としてのところてん保存液５２とが一緒に収容される（図４参照）。収容部２の上部には開口６が設けられる。即ち、収容部２は上部が開口した容器により形成される。フランジ４は、収容部２の開口縁７より収容部２の外側に延長し、開口縁７の周囲を囲むように設けられる。フランジ４は、収容容器１が水平な面に載置された場合に水平方向に延長し、蓋３が貼り付けられる平坦な上面８を備える。
【０００８】
図４に示すように、収容部２に、ところてん５１とところてん保存液５２とが一緒に収容された後に、合成樹脂によりフィルム状に形成された蓋３が、フランジ４の上面８に剥がせるように取り付けられて、開口６を塞ぐ。
【０００９】
フランジ４は、蓋３の剥がし口９の位置する剥がし部位１０に、収容部２の内壁１１と繋がる液体抜き溝部５を備える。液体抜き溝部５は、剥がし口９に近い開口縁７から剥がし口９の方向に並んで延長する複数の断面半円状の溝１２により形成される。各図では４つの溝１２により形成された液体抜き溝部５を示した。
【００１０】
図２に示すように、液体抜き溝部５の左右の端と開口縁７との境界１５が、液体抜きをする際の蓋３の剥がし停止位置１６に決められる。
【００１１】
そして、液体抜き溝部５の左右に位置する蓋３の剥がし停止位置１６；１６同士を直線で結んだ蓋３の剥がし停止線１７（二点鎖線で示す）と、液体抜き溝部５の左右間の中央と開口縁との境界１８との間の間隔ａが、ところてん５１の断面径よりも小さい寸法に形成される。
【００１２】
さらに、図５に示す溝１２の断面半円状の溝径ｄが、ところてん５１の断面径よりも小さい寸法に形成される。
【００１３】
最良の形態１によれば、液体抜き溝部５を備えたので、図４に示すように、蓋３を蓋３の剥がし停止位置１６まで剥がした場合に形成される液体の流路が、液体抜き溝部５のない場合と比べて大きくなる。よって、液体抜き溝部５のない場合と比べて、ところてん保存液５２が収容部２から排出しやすくなる。
【００１４】
また、図４に示すように、蓋３が剥がし口９より蓋３の剥がし停止位置１６まで剥がされた状態で、収容容器１を傾けて液体抜き溝部５を通してところてん保存液５２を排出した場合、上述した間隔ａがところてん５１の断面径よりも小さい寸法に形成されているため、ところてん５１が液体抜き溝部５と剥がし停止位置１６まで剥がされた蓋３との間を通過せず、ところてん５１が収容部２より流れ出ることを防止できる。
【００１５】
また、液体抜き溝部５が、剥がし口９に近い開口縁７から剥がし口９の方向に並んで延長する複数の断面半円状の溝１２により形成され、溝１２の断面半円状の溝径がところてん５１の断面径よりも小さい寸法に形成されたので、ところてん５１が収容部２から溝１２内に入らず、ところてん５１が複数の断面半円状の溝１２と溝１２との間で形成される収容部２の内壁１３（図５参照）に衝突するため、ところてん５１が収容部２より流れ出ることを防止できる。
【００１６】
また、液体抜き溝部５が、複数の断面半円状の溝１２により形成されたので、ところてん保存液５２の排出場所が多くなり、ところてん保存液５２の排出効率が向上する。
【００１７】
最良の形態２
図６；７を参照し、最良の形態２の収容容器３０を説明する。上述した収容容器１のフランジ４の外形は、上から見て、溝１２が開口縁７から延長する方向に沿った第１の方向に長く、第１の方向と直交する方向に短い。即ち、液体抜き溝部５の左右の外側に位置する第１外縁２１と第２外縁２２とのなす角度が鋭角であり、液体抜き溝部５の形成された開口縁７より１８０度隔てた開口縁７側の第３外縁２３と第４外縁２４とのなす角度が９０度である。よって、２つの収容容器１のフランジ４の第１外縁２１；２１同士がミシン目による切り目２５によって切り離しやすいように繋がれ、２つの収容容器１のフランジ４の第３外縁２３；２３同士が互いに平行に位置する２連式の収容容器３０が形成される。第１外縁２１と第２外縁２２との境界部３１、第３外縁２３と第４外縁２４との境界部３２、第１外縁２１と第４外縁２４との境界部３３、第２外縁２２と第３外縁２３との境界部３４は、丸く形成される。フランジの４つの境界部３１〜３４が丸く形成されたことによって、手を切りやすい角部分がなくなるので、安全性に優れた２連式の収容容器３０を提供できる。
【産業上の利用可能性】
【００１８】
本発明の食品収容容器は、ところてん収容容器としてだけでなく、みつ豆、フルーツ、その他の固体食品と液体とを一緒に収容する食品収容容器として使用できる。
食品収容容器と蓋は、合成樹脂以外の材料により形成してもよい。
【図面の簡単な説明】
【００１９】
【図１】食品収容容器の斜視図（最良の形態１）。
【図２】食品収容容器の平面図（最良の形態１）。
【図３】図２のＡ−Ａ断面図（最良の形態１）。
【図４】蓋の付いた食品収容容器を示す断面図（最良の形態１）。
【図５】図２のＢ方向から見た図（最良の形態１）。
【図６】２連式の食品収容容器の斜視図（最良の形態２）。
【図７】２連式の食品収容容器の平面図（最良の形態２）。
【符号の説明】
【００２０】
１  ところてん収容容器、（食品収容容器）、２  収容部、３  蓋、
４  フランジ（蓋の取付面）、５  液体抜き溝部、６  開口、７  開口縁、
９  蓋の剥がし口、１０  蓋剥がし部位、１２  溝、１６  蓋の剥がし停止位置、
１７  蓋の剥がし停止線、５１  ところてん（固体食品）、
５２  ところてん保存液（液体）、ａ  間隔、ｄ  溝径。
【図１】
2008195427.tif 000003
【図２】
2008195427.tif 000004
【図３】
2008195427.tif 000005
【図４】
2008195427.tif 000006
【図５】
2008195427.tif 000007
【図６】
2008195427.tif 000008
【図７】
2008195427.tif 000009